(57)【要約】【課題】スクロール型圧縮機を静寂に作動させることができる技術を提供する。【解決手段】スクロール型圧縮機１は、回転軸２の回転により偏心軸３が旋回し、偏心軸３の旋回により旋回スクロール６が旋回することによって圧縮室１５内の冷媒ガスを圧縮する。旋回基板部６１には、圧縮室１５と背圧室１６とを連通するガス流路６４が形成され、ガス流路６４は圧縮室側において旋回壁部６２間に開口し、背圧室側において軸受５の外周より内側の領域に対向して開口し、圧縮室１５の冷媒ガスを背圧室１６に向けて送るようにしている。【選択図】図１
2015075079.tif 000002
【特許請求の範囲】
【請求項１】
回転軸と、
前記回転軸に固定され、前記回転軸の回転中心から偏心している偏心軸と、
前記偏心軸に嵌合しているブッシュと、
前記ブッシュに対して相対回転可能に配置された軸受と、
前記軸受に支持された旋回スクロールと、
前記旋回スクロールに対向配置された固定スクロールと、
前記回転軸を支持し、前記旋回スクロールとともに、内部の圧力により前記旋回スクロールを前記固定スクロールに押圧する背圧室を形成する区画壁と、
を備え、
前記旋回スクロールは、旋回基板部と、前記旋回基板部から前記固定スクロールに向かって突出する渦巻き状の旋回壁部とを備えており、
前記固定スクロールは、前記旋回基板部に対向する固定基板部と、前記固定基板部から前記旋回スクロールに向かって突出する渦巻き状の固定壁部とを備えており、
前記旋回壁部と、前記固定壁部と、前記旋回基板部と、前記固定基板部とにより圧縮室が形成され、
前記回転軸の回転により前記偏心軸が旋回し、前記偏心軸の旋回により前記旋回スクロールが旋回することによって前記圧縮室内の冷媒ガスを圧縮するスクロール型圧縮機であって、
前記旋回基板部には、前記圧縮室と前記背圧室とを連通するガス流路が形成され、該ガス流路は圧縮室側において前記旋回壁部間に開口し、背圧室側において前記軸受の外周より内側の領域に対向して開口し、前記圧縮室の冷媒ガスを前記背圧室に向けて送るようにした、スクロール型圧縮機。
【請求項２】
前記ガス流路は絞り機能を有している請求項１に記載のスクロール型圧縮機。
【請求項３】
前記ガス流路は、前記固定壁部により開閉する請求項１又は２に記載のスクロール型圧縮機。
【請求項４】
前記旋回基板部に前記ガス流路が複数形成されており、
少なくとも１つの前記ガス流路は、前記旋回スクロールの作動中は常時連通し、前記圧縮室から前記背圧室へ冷媒ガスを送る、請求項１又は２に記載のスクロール型圧縮機。
【請求項５】
前記旋回基板部の中心部を挟んで対向する位置に一対の前記ガス流路が形成されている、請求項１から４のいずれかに記載のスクロール型圧縮機。
【発明の詳細な説明】
【技術分野】
【０００１】
本明細書に開示の技術は、旋回スクロールおよび固定スクロールを備えるスクロール型圧縮機に関する。
【背景技術】
【０００２】
特許文献１に従来のスクロール型圧縮機が開示されている。従来のスクロール型圧縮機は、旋回スクロールと、旋回スクロールに対向配置された固定スクロールと、固定スクロールの反対側において旋回スクロールに対向配置された軸支部材とを備えている。旋回スクロールと固定スクロールの間には圧縮室が形成され、旋回スクロールと軸支部材の間には背圧室が形成されている。このスクロール型圧縮機は、回転軸と、回転軸の回転中心から偏心した偏心軸とをさらに備えている。旋回スクロールは、ブッシュと軸受を介して偏心軸に取り付けられている。旋回スクロールは、軸受に対向する旋回基板部と、旋回基板部から固定スクロールに向かって突出する渦巻き状の旋回壁部とを備えている。旋回壁部には、圧縮室の冷媒ガスを背圧室に向けて送る給気通路が形成されている。給気通路は、旋回壁部を貫通している。背圧室の冷媒ガスの圧力により旋回スクロールが固定スクロールに向けて押圧されている状態では、旋回壁部の先端が固定スクロールに当接しており、給気通路の入口が閉じられている。
【０００３】
このようなスクロール型圧縮機では、回転軸の回転により偏心軸が旋回し、偏心軸の旋回により旋回スクロールが旋回する。旋回スクロールが旋回すると、圧縮室内の冷媒ガスが圧縮され、圧縮された冷媒ガスが外部に吐出される。圧縮室内の冷媒ガスが圧縮されると、その冷媒ガスの圧力により、旋回スクロールが固定スクロールから離れる方向に押圧される。その結果、旋回スクロールの旋回壁部の先端が固定スクロールから離れ、給気通路の入口が開かれる。そうすると、圧縮室内の冷媒ガスの一部が給気通路に流入し、給気通路を通じて冷媒ガスが背圧室側に送られる。その後、この冷媒ガスは軸受およびブッシュの隙間を通過して背圧室に流入する。背圧室に冷媒ガスが流入することにより背圧室の冷媒ガスの圧力が高まり、この圧力により旋回スクロールが固定スクロールに向けて押圧される。このように旋回スクロールを固定スクロールに向けて押圧することにより、冷媒ガスを圧縮するときに旋回スクロールと固定スクロールが過度に離間しないようにしている。
【先行技術文献】
【特許文献】
【０００４】
【特許文献１】特開２０１１−６４１８９号公報
【発明の概要】
【発明が解決しようとする課題】
【０００５】
上記のスクロール型圧縮機では、圧縮室の冷媒ガスの圧力により旋回壁部の先端が固定スクロールから離れたときに給気通路を通じて背圧室側に冷媒ガスが送られる。そして、背圧室に送られた冷媒ガスの圧力により旋回スクロールを固定スクロールに向けて押圧する。したがって、圧縮室から背圧室に冷媒ガスを送るときに、まず、圧縮室の冷媒ガスの圧力により旋回スクロールが固定スクロールから離れる方向に動き、その後、これとは逆に、背圧室の冷媒ガスの圧力により旋回スクロールが固定スクロールに近づく方向に動く。このような旋回スクロールの動きにより、旋回スクロールが固定スクロールと接離を繰り返し、固定スクロールと当接する時に騒音や振動が発生することがあった。
【０００６】
そこで本明細書は、静寂に作動させることができるスクロール型圧縮機を提供することを目的とする。
【課題を解決するための手段】
【０００７】
本明細書に開示するスクロール型圧縮機は、回転軸と、前記回転軸に固定され、前記回転軸の回転中心から偏心している偏心軸と、前記偏心軸に嵌合しているブッシュと、前記ブッシュに対して相対回転可能に配置された軸受と、を備えている。また、スクロール型圧縮機は、前記軸受に支持された旋回スクロールと、前記旋回スクロールに対向配置された固定スクロールと、前記旋回スクロールとともに、内部の圧力により前記旋回スクロールを前記固定スクロールに押圧する背圧室を形成する区画壁と、を備えている。前記旋回スクロールは、旋回基板部と、前記旋回基板部から前記固定スクロールに向かって突出する渦巻き状の旋回壁部とを備えており、前記固定スクロールは、前記旋回基板部に対向する固定基板部と、前記固定基板部から前記旋回スクロールに向かって突出する渦巻き状の固定壁部とを備えている。前記旋回壁部と、前記固定壁部と、前記旋回基板部と、前記固定基板部とにより圧縮室が形成されている。このスクロール型圧縮機は、前記回転軸の回転により前記偏心軸が旋回し、前記偏心軸の旋回により前記旋回スクロールが旋回することによって前記圧縮室内の冷媒ガスを圧縮する。前記旋回基板部には、前記圧縮室と前記背圧室とを連通するガス流路が形成され、該ガス流路は圧縮室側において前記旋回壁部間に開口し、背圧室側において前記軸受の外周より内側の領域に対向して開口し、前記圧縮室の冷媒ガスを前記背圧室に向けて送るようにしている。
【０００８】
このような構成によれば、回転軸が回転すると旋回スクロールが旋回して圧縮室内の冷媒ガスが圧縮される。圧縮された冷媒ガスの一部は、旋回スクロールの旋回基板部に形成されたガス流路を通じて背圧室に向けて送られる。その後この冷媒ガスは、背圧室内でブッシュ及び軸受の隙間を通過する。背圧室に冷媒ガスが流入することにより背圧室の圧力が高まり、この圧力により旋回スクロールが固定スクロールに向けて押圧される。旋回スクロールが固定スクロールに向けて押圧されることにより旋回スクロールを支持し、冷媒ガスを圧縮するときに旋回スクロールと固定スクロールが離間しないようにしている。このスクロール型圧縮機によれば、旋回スクロールの旋回基板部にガス流路が形成されているので、旋回スクロールの旋回壁部の先端が固定スクロールから離れなくても、圧縮室から背圧室に向けて冷媒ガスを流すことができる。その結果、旋回スクロールが固定スクロールと接離を繰り返すのを抑制でき、旋回スクロールが固定スクロールと衝突することを抑制できる。以上より、スクロール型圧縮機を静寂に作動させることができる。また、ガス流路の開口部分に対向する領域は、圧縮機の外周側で取り込まれた冷媒ガスが中央側に移動するに従って圧縮されて、吐出圧に近い高圧となっているので、背圧室の圧力を確実に上昇させることができるとともに、冷媒ガスに含まれる潤滑油により軸受やブッシュの潤滑を促進することができる。
【０００９】
また、上記のスクロール型圧縮機において、前記ガス流路は絞り機能を有していてもよい。
【００１０】
このような構成によれば、ガス流路が絞り機能を有しているので、ガス流路を通じて冷媒ガスが流れすぎるのを抑制でき、圧縮効率の低下を防止することができる。
【００１１】
また、前記ガス流路は、前記固定壁部により開閉してもよい。
【００１２】
このような構成によれば、旋回スクロールが旋回するときに、旋回スクロールが所定の旋回角度範囲内になると固定壁部によりガス流路が閉じられ、旋回スクロールが所定の旋回角度範囲外になるとガス流路が開く。これにより、旋回スクロールが所定の旋回角度にある場合にのみガス流路が開通するので、ガス流路を通じて冷媒ガスが流れすぎるのを抑制でき、圧縮効率の低下を防止することができる。また、それとともに、ガス流路を通じて冷媒ガスを周期的に背圧室に導くことができ、背圧室の圧力を安定して維持することができる。
【００１３】
また、前記旋回基板部に前記ガス流路が複数形成されており、少なくとも１つの前記ガス流路が、前記旋回スクロールの作動中は常時連通し、前記圧縮室から前記背圧室へ冷媒ガスを送るように構成されていてもよい。
【００１４】
このような構成によれば、旋回スクロールがいずれの旋回位置にある場合でも、複数のガス流路のうち少なくとも１つが常時連通するので、圧縮室から背圧室に安定的に冷媒ガスを供給することができる。
【００１５】
また、前記旋回基板部の中心部を挟んで対向する位置に一対の前記ガス流路が形成されていてもよい。
【００１６】
このような構成によれば、一対のガス流路により背圧室に向けてバランス良く冷媒ガスを送ることができ、旋回スクロールをバランス良く押圧することができる。
【図面の簡単な説明】
【００１７】
【図１】実施形態に係るスクロール型圧縮機の縦断面図である。
【図２】図１の要部IIの拡大図である。
【図３】図２の要部IIIの拡大図である。
【図４】図１のIV−IV断面図である。
【図５】他の実施形態に係るスクロール型圧縮機の要部の拡大図である。
【図６】更に他の実施形態に係るスクロール型圧縮機の要部の拡大図である。
【図７】更に他の実施形態に係る旋回スクロールの平面図である。
【図８】更に他の実施形態に係る旋回スクロールの平面図である（固定壁部を斜線で示している。）。
【発明を実施するための形態】
【００１８】
以下、実施形態について添付図面を参照して説明する。図１〜図３に示すように、スクロール型圧縮機１は、回転軸２と、回転軸２の回転中心Ｃから偏心している偏心軸３と、偏心軸３に嵌合しているブッシュ４と、ブッシュ４に対して相対回転可能に配置された軸受５とを備えている。また、スクロール型圧縮機１は、軸受５を介してブッシュ４に支持された旋回スクロール６と、旋回スクロール６に対向配置された固定スクロール７と、固定スクロール７の反対側において旋回スクロール６に対向配置された区画壁８とを備えている。固定スクロール７と区画壁８との間には円環状をなす弾性プレート８３が介在されている。旋回スクロール６と固定スクロール７の間には圧縮室１５が形成され、旋回スクロール６と区画壁８の間には背圧室１６が形成されている。上記の各構成はハウジング１０に収容されている。
【００１９】
ハウジング１０は、前方のフロントハウジング１１と、後方のリヤハウジング１２とを備えている。フロントハウジング１１およびリヤハウジング１２は、有底筒状に形成されており、対向配置されてボルトで固定されている。フロントハウジング１１には、ハウジング１０内に冷媒ガスを吸入するための吸入口１１１が形成されている。リヤハウジング１２には、圧縮室１５から冷媒が吐出される吐出室１７と、吐出室１７内の冷媒ガスを排出するための排出口１２１が形成されている。
【００２０】
回転軸２は、フロントハウジング１１の内部において前後方向に延びるように配置されている。回転軸２は、フロントハウジング１１の内部に配置された区画壁８を貫通して延びている。回転軸２は、主軸受２１および副軸受２２によって回転可能に支持されている。主軸受２１は、区画壁８の中央部に配置され、回転軸２の一端部を支持している。副軸受２２は、フロントハウジング１１の前壁の中央部に配置され、回転軸２の他端部を支持している。回転軸２の周囲にはロータ２３およびステータ２４が配置されている。回転軸２、ロータ２３及びステータ２４によってモータ２５が構成されており、モータ２５の作動により回転軸２が回転する。
【００２１】
回転軸２の内部には軸方向に延びる排出流路２９が形成されている。排出流路２９は、一端部が背圧室１６と連通しており、他端部がフロントハウジング１１の内部と連通している。排出流路２９を通じて、背圧室１６の冷媒ガスをフロントハウジング１１の内部に排出できる。排出流路２９から排出された冷媒ガスは、副軸受２２の隙間を通過してフロントハウジング１１の内部に流入する。
【００２２】
偏心軸３は、回転軸２に固定されており、回転軸２と平行に延びている。また、偏心軸３は、回転軸２の回転中心Ｃから偏心した位置に固定されており、回転軸２が回転すると、回転軸２の回転中心Ｃの周りを旋回する。偏心軸３の先端部はブッシュ４に挿入されている。
【００２３】
ブッシュ４は、略円筒状に形成され、偏心軸３に嵌合している。ブッシュ４は、回転軸２が回転すると、偏心軸３と共に、回転軸２の回転中心Ｃの周りを旋回する。ブッシュ４にはバランスウェイト４２が取り付けられている。バランスウェイト４２は、旋回スクロール６の旋回により発生する遠心力を相殺するための、略扇形状の部材であり、ブッシュ４の回転軸２側の端部から突出して設けられている。バランスウェイト４２は、偏心軸３の偏心方向とは反対側に形成されている。
【００２４】
軸受５は、ブッシュ４の外周面と旋回スクロール６の間に配置されている。軸受５によって、旋回スクロール６がブッシュ４に対して回転可能に支持される。軸受５としては、一対のリング状のレースの間に球体を配置して荷重を支持する公知の玉軸受を用いている。
【００２５】
旋回スクロール６は、ブッシュ４および軸受５の後方に配置されている。旋回スクロール６は、軸受５に対向する円板状の旋回基板部６１と、円板状の旋回基板部６１から固定スクロール７に向かって突出する渦巻き状（図４参照）の旋回壁部６２とを備えている。一方、固定スクロール７は、旋回スクロール６の後方に配置されている。固定スクロール７は、旋回基板部６１に対向する円板状の固定基板部７１と、円板状の固定基板部７１から旋回スクロール６に向かって突出する渦巻き状（図４参照）の固定壁部７２とを備えている。旋回スクロール６及び固定スクロール７は、それぞれの基板部６１、７１が互いに対向すると共に、それぞれの壁部６２、７２が互いに噛み合った状態で配置されている。また、旋回スクロール６及び固定スクロール７は、それぞれの中心が離間すると共に、渦巻き状の壁部６２、７２の位相が互いにずれた状態で配置されている（図４参照）。
【００２６】
旋回スクロール６は、旋回基板部６１から軸受５に向かって突出する筒状のボス部６３を備えている。ボス部６３には軸受５が挿入されている。背圧室１６は、軸受５及びブッシュ４により、上流側背圧空間１６ａと下流側背圧空間１６ｂに区画される。旋回スクロール６の旋回壁部６２の先端６２１は、冷媒ガスに含まれる潤滑油を介して固定スクロール７の固定基板部７１に当接している。旋回壁部６２は、旋回基板部６１の中心部から外方に渦巻き状に拡がるように形成されている（図４参照）。旋回基板部６１には、圧縮室１５の冷媒ガスを背圧室１６に向けて送るガス流路６４が１つ形成されている。ガス流路６４は、旋回壁部６２の根元から離間した位置で、旋回基板部６１を貫通している。
【００２７】
ガス流路６４は、圧縮室１５に向けて開口するガス入口６４１と、ガス入口６４１と反対側に開口するガス出口６４２とを備えている。ガス流路６４は、ガス入口６４１からガス出口６４２まで同じ断面積で形成されている。ガス流路６４は旋回基板部６１の中央部に形成されている。ガス流路６４は、軸受５に対向するように形成されている。具体的には、ガス流路６４は、軸受５の外周より内側かつ軸受５の内周より外側の領域に対向するように形成されている（図３参照）。したがって、圧縮室１５からガス流路６４を通過した冷媒ガスは背圧室１６の上流側背圧空間１６ａに流れ込み、軸受５に向けて流れ、軸受５の隙間を通過して、下流側背圧空間１６ｂに流れ込む。ガス流路６４は、隣接する旋回壁部６２の間に開口している。すなわち、ガス流路６４は、旋回壁部６２から離間した位置に形成されている。
【００２８】
固定スクロール７はハウジング１０に固定されている。固定スクロール７には冷媒ガスを吐出するための吐出口７３が形成されている。吐出口７３は、固定スクロール７の固定基板部７１を貫通しており、圧縮室１５と連通している。圧縮室１５で圧縮された冷媒ガスが吐出口７３から吐出室に吐出された後、排出口１２１から外部に吐出される。固定スクロール７の固定壁部７２の先端７２１は、冷媒ガスに含まれる潤滑油により潤滑された状態で旋回スクロール６の旋回基板部６１に当接している。固定壁部７２は、固定基板部７１の中心部から外方に渦巻き状に拡がるように形成されている（図４参照）。
【００２９】
区画壁８は、本体部８１と、本体部８１から周囲に張り出した固定部８２とを備えている。本体部８１は、ハウジング１０内の中央部に配置されており、固定部８２は、ハウジング１０の側壁に固定されている。区画壁８は、本体部８１が固定部８２よりも前方に張り出し、中央部が窪んだ形状になっている。区画壁８と旋回スクロール６の間には、本体部８１および固定部８２に囲まれた背圧室１６が形成されている。固定スクロール７及び区画壁８には、フロントハウジング１１の内部の冷媒ガスを圧縮室１５に供給するためのガス供給路（図示せず）が形成されている。
【００３０】
圧縮室１５は、旋回スクロール６の旋回基板部６１及び旋回壁部６２ならびに固定スクロール７の固定基板部７１及び固定壁部７２に囲まれている。圧縮室１５は、渦巻き状の旋回壁部６２及び固定壁部７２に囲まれることにより各々三日月状の空間を形成している（図４参照）。圧縮室１５では、旋回スクロール６が固定スクロール７に対して旋回することにより、旋回スクロール６および固定スクロール７の外周側に区画された圧縮室１５が、中央側に移動されつつ容積が減少する。圧縮室１５の冷媒ガスは吐出圧力まで圧縮されて、吐出口７３から吐出される。また、圧縮室１５内の冷媒ガスの一部は、旋回スクロール６のガス流路６４に流入する。
【００３１】
背圧室１６内では、ブッシュ４及び軸受５を冷媒ガスが通過する。背圧室１６内の冷媒ガスは、旋回スクロール６を固定スクロール７に向けて押圧する。
【００３２】
次に、上記の構成を備えるスクロール型圧縮機の作動について説明する。まず、モータ２５を作動させると回転軸２が回転し、回転軸２の回転により偏心軸３が旋回する。偏心軸３が旋回すると、旋回スクロール６が旋回し、旋回スクロール６の旋回により圧縮室１５内の冷媒ガスが圧縮される。圧縮された冷媒ガスは、固定スクロール７の吐出口７３から吐出室１７に吐出される。また、圧縮中の冷媒ガスの一部は、旋回スクロール６の旋回基板部６１に形成されたガス流路６４に流入する。ガス流路６４に流入した冷媒ガスは、背圧室１６内に流入し、ブッシュ４と軸受５の間、ブッシュ４と偏心軸３の間、軸受５とボス部６３の間、軸受５のレース間を通過する。これにより、背圧室１６内全体の冷媒ガスの圧力を高め、この圧力により旋回スクロール６を固定スクロール７に向けて押圧する。このように旋回スクロール６を固定スクロール７に向けて押圧することにより旋回スクロール６を安定させ、冷媒ガスを圧縮するときに旋回スクロール６と固定スクロール７が接離を繰り返さないようにしている。
【００３３】
上述の説明から明らかなように、旋回スクロール６の旋回基板部６１にガス流路６４が形成されているので、特許文献１の構成のように旋回スクロールの旋回壁部の先端が固定スクロールから離れなくても、圧縮室１５から背圧室１６に向けて冷媒ガスを流すことができる。その結果、旋回スクロール６と固定スクロール７の離間に依存しなくとも圧縮室１５の冷媒ガスを背圧室１６に供給して旋回スクロール６が固定スクロール７と接離することを抑制でき、旋回スクロール６が固定スクロール７と衝突することを抑制できる。よって、スクロール型圧縮機１を静寂に作動させることができる。
【００３４】
また、ガス流路６４は、軸受５の外周より内側かつ軸受５の内周より外側の領域に対向するように形成されている。そのため、ガス流路６４は、圧縮室１５の圧力が最も高圧となる旋回基板部６１の径方向中心部に位置することになり、背圧室１６の圧力を確実に上昇させることができるとともに、冷媒ガスが軸受５内やブッシュ４と軸受５との間の隙間を通過するときに、冷媒ガスに含まれる潤滑油をブッシュ４や軸受５の摺接面に供給し、ブッシュ４や軸受５の摺動面の潤滑を促進することができる。
【００３５】
なお、本実施例においては、ガス流路６４は、旋回スクロール６の旋回によって、旋回スクロール６の所定の旋回角度範囲で、固定壁部７２の先端７２１がガス流路６４と対向することにより閉じられ、所定の旋回角度範囲外では開いているように設計されている。この場合、ガス流路６４が背圧室１６とが常時は連通しなくなるため、背圧室１６内の圧力が高くなり、旋回スクロール６を固定スクロール７方向へ押付ける押圧力が大きくなりすぎるのを防止することができる。また、圧縮室１５内の冷媒ガスが流出することによる圧縮効率の低下を抑制することができる。さらに、周期的にガス流路６４を通じて冷媒ガスを背圧室１６に導き、背圧室１６の圧力を安定して維持することができる。
【００３６】
本実施例においては、ガス流路６４は、旋回スクロール６の旋回壁部６２でなく、旋回基板部６１に形成されている。旋回基板部６１から突出する旋回壁部６２にガス流路を穿設する場合、旋回壁部６２をガス流路が回転軸方向に貫通することになり、旋回壁部６２の強度を確保するため、旋回壁部６２の厚さを大きくする必要があり、軽量化しづらい。本実施例においては、旋回基板部６１にガス流路６４が設けられているため、静粛性と軽量化を両立させることができる。
【００３７】
以上、一実施形態について説明したが、本発明の具体的な態様は上記実施形態に限定されるものではない。例えばガス流路６４の位置は特に限定されるものではなく、図５に示すように、ガス流路６４は、ブッシュ４と対向する位置に形成されていてもよい。つまり、ガス流路６４は、軸受５の内周より内側の領域と対向する位置に形成されている。
【００３８】
また、旋回スクロール６に形成されたガス流路６４の構成は上記実施形態に限定されるものではない。他の実施形態に係るガス流路６４は、図６に示すように、固定壁部７２の先端７２１の壁厚ｗ３と、ガス流路６４のガス入口６４１における、先端７２１の壁厚方向の幅ｗ１を比較すると、ｗ１はｗ３と等しいかｗ３より僅かに大きい。先端７２１は面取りされ、Ｒ形状を有するとともに、ガス入口６４１も面取りされ、Ｒ形状を有する。これにより、固定壁部７２の先端７２１がガス入口６４１に重なったときでも、先端７２１と旋回基板部６１との間に僅かな隙間が形成されて、ガス入口６４１の一部が圧縮室１５に向かって開口し、開口した部分からガス流路６４に冷媒ガスが流入する。すなわち、固定壁部７２の先端７２１によってガス入口６４１の全体が完全に閉じられることがない。一方、ガス流路６４のガス出口６４２における先端７２１の壁厚方向の幅ｗ２は固定壁部７２の先端７２１の壁厚ｗ３より小さい。すなわち、ガス出口６４２の開口断面積はガス入口６４１の開口断面積より小さく、ガス流路６４は絞り機能を有する。よって、ガス流路６４の幅がガス入口６４１からガス出口６４２に向かって段階的に狭くなり、冷媒ガスの流れが阻害される。なお、ガス入口６４１の幅ｗ１およびガス出口６４２の幅ｗ２は、固定壁部７２の先端７２１がガス入口６４１に重なったときに、この先端７２１の壁厚ｗ３と同方向における幅である。このような構成によれば、ガス入口６４１が固定壁部７２の先端７２１によって完全に閉じられることがないので、先端７２１がガス入口６４１に重なったとしても、ガス流路６４にガスが流入することができる。これにより、圧縮室１５の冷媒ガスを背圧室１６に向かって流すことができる。一方、ガス出口６４２の幅ｗ２を先端７２１の幅ｗ３より狭くすることにより絞りを形成しており、ガス流路６４を通じて冷媒ガスが流れ過ぎることがない。したがって、圧縮室１５の圧力が過度に低下することがない。これにより、圧縮室１５の冷媒ガスの圧力を保ちつつ、圧縮室１５の冷媒ガスを背圧室１６に向けて流すことができる。なお、本実施形態ではガス流路６４が２段階の幅ｗ１及びｗ２を有していたが、この構成に限定されず、３段階以上の幅を有していてもよい。
【００３９】
また、上記実施形態ではガス流路６４が１つであったが、ガス流路６４の数は特に限定されず、複数のガス流路６４が旋回基板部６１に形成されていてもよい。旋回基板部６１にガス流路６４を複数形成する場合は、複数のガス流路６４をバランス良く形成することが好ましい。例えば図７に示すように、旋回基板部６１の中心部を挟んで対向する位置に一対のガス流路６４を形成することができる。一対のガス流路６４は、旋回基板部６１の中心点について厳密な点対称である必要はなく、旋回基板部６１の中心部を挟んで略反対側の領域に形成されていればよい。具体的には、一方のガス流路６４から旋回基板部６１の周方向に１３５°以上かつ２２５°以下の領域Ｒ（図６において斜線で示す領域）に他方のガス流路６４が形成されていることが好ましい。このような構成によれば、旋回基板部６１の中心部を挟んで対向するガス流路６４を通じて、旋回基板部６１の周方向においてバランス良く背圧室１６に向けて冷媒ガスを送ることができる。これにより、背圧室１６の冷媒ガスの圧力のバランスを保つことができ、旋回スクロール６をバランス良く押圧することができる。
【００４０】
また、複数のガス流路６４は、図８に示すように、少なくとも１つが常に開放されるように形成されていることが好ましい。具体的には、複数のガス流路６４は、全てのガス流路６４が同時に固定スクロール７の固定壁部７２（図の斜線部）と重ならない位置に形成されている。したがって、少なくとも１つのガス流路６４が固定壁部７２から常に露出している。なお、全てのガス流路６４が同時に固定壁部７２と重なり、隠れる場合は、複数のガス流路６４が固定壁部７２の渦巻き状の形状と同じ形状で並んで配置されている場合である。したがって、複数のガス流路６４のうち少なくとも１つのガス流路６４が固定壁部７２の渦巻き状の形状からずれて配置されていればよい。このような構成によれば、全てのガス流路６４が同時に固定壁部７２によって覆われることがなく、少なくとも１つのガス流路６４が常に開放されているので、ガス流路６４を通じて常にガスを流すことができる。したがって、背圧室１６に冷媒ガスを確実に送ることができる。
【００４１】
また、上記実施形態では軸受５として玉軸受を用いていたが、この構成に限定されず、滑り軸受を用いることもできる。
【００４２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４３】
１；スクロール型圧縮機
２；回転軸
３；偏心軸
４；ブッシュ
５；軸受
６；旋回スクロール
７；固定スクロール
８；区画壁
１０；ハウジング
１１；フロントハウジング
１２；リヤハウジング
１５；圧縮室
１６；背圧室
１６ａ；上流側背圧空間
１６ｂ；下流側背圧空間
１７；吐出室
２１；主軸受
２２；副軸受
２３；ロータ
２４；ステータ
２５；モータ
２９；排出流路
４２；バランスウェイト
６１；旋回基板部
６２；旋回壁部
６３；ボス部
６４；ガス流路
６５；隙間
７１；固定基板部
７２；固定壁部
７３；吐出口
８１；本体部
８２；固定部
８３；弾性プレート
１１１；吸入口
１２１；排出口
６４１；ガス入口
６４２；ガス出口
６２１；先端
７２１；先端
【図１】
2015075079.tif 000003
【図２】
2015075079.tif 000004
【図３】
2015075079.tif 000005
【図４】
2015075079.tif 000006
【図５】
2015075079.tif 000007
【図６】
2015075079.tif 000008
【図７】
2015075079.tif 000009
【図８】
2015075079.tif 000010